(57)【特許請求の範囲】
【請求項１】
端末が個別センタ装置に接続してサービスを要求するサービス要求信号を送信し、複数の個別センタ装置が共通に接続する共通センタ装置へ前記サービス要求信号を転送して、当該共通センタ装置から情報を取得する共通プラットフォームシステムであって、
前記個別センタ装置または前記共通センタ装置は、前記端末からのサービス要求信号を共通インタフェース用の信号にプロトコル変換する第１プロトコル変換手段を備え、
前記共通センタ装置は、
前記端末が対応するアクセス網と、前記サービス要求信号で特定されるサービスに適したアクセス網と、を記憶するアクセス網選択情報記憶手段と、
前記サービス要求信号で示されるサービスと、当該サービス要求信号を送信した端末との組合せに応じたアクセス網を前記アクセス網選択情報記憶手段から選択するアクセス網選択手段と、
前記選択したアクセス網を前記個別センタ装置へ通知するアクセス網通知手段と、
前記サービス要求信号に対応するコンテンツを、当該コンテンツを蓄積するコンテンツサーバから受信して、当該コンテンツを、前記サービス要求信号を転送した前記個別センタ装置へ送信するコンテンツ送信手段と、を備え、
前記個別センタ装置は、
前記サービス要求信号の転送に応じて前記共通センタ装置より受信した前記コンテンツの信号を、自装置固有のプロトコルに変換する第２プロトコル変換手段と、
前記自装置固有のプロトコルに変換した信号を、前記共通センタによって選択されたアクセス網により、前記サービス要求信号を送信した端末に中継する中継手段と、を備える
ことを特徴とするインタネット共通プラットフォームシステム。
【発明の詳細な説明】
【０００１】
【発明の属する技術分野】
本発明は、インタネット網と個別センタに共通に設置された共通センタとにより、ユーザの属するアクセス網、ユーザの属するロケーション、ユーザの伝送する情報のコンテンツに依存しないインタネット共通プラットフォームシステムを提供することを目的とする。
【０００２】
【従来の技術】
従来、車載端末にナビゲーション情報を提供する場合にコンパスリンク、モネ、インタネットナビ等の個別センタをカーメーカ別に設置し、ナビゲーションサービスが行なわれているが、いづれの個別センタも自社の自動車に限定したサービスで、車載端末との間では個別センタ毎に独自のプロトコルが用いられていた。このため、駐車場での駐車サービスやコンビニエンスストアでの買い物サービス等不特定のユーザを対象とするサービスを提供するのは困難であった。またそれぞれの個別センタで独立に交通情報等のコンテンツサーバとのインタフェースをとる装置が必要で高価なシステムになっていた。
【０００３】
【発明が解決しようとする課題】
本発明は、上記した従来の技術の有する問題点に鑑みてなされたものであり、その目的とするところは、次の点にある。
【０００４】
請求項１記載の発明は、インタネット網上に共通センタを設置し、個別センタと共通センタ間のインタフェース及び／又はコンテンツサーバと共通センタ間のインタフェースとして、該共通センタで定める共通インタフェースを用いることにより、個別センタと該個別センタに属する端末間のインタフェースを承継したまま、ユーザが特定の個別センタ、特定のコンテンツザーバに限定されずにサービスを受けられる汎用的なシステムを提供することを目的とする。
【０００５】
請求項２に記載の発明は、共通センタにサービス種別に適したコンテンツサーバ及び端末の属性に適合したアクセス網を選択する機能を付与することにより、端末とサービスの属性（端末の属するアクセス網、ロケーション、伝送するコンテンツ等）に適合したアクセス網を自動的に設定できるようにすることを目的とする。
【０００６】
請求項３に記載の発明は、携帯端末にＧＰＳ受信機能を付与し、ＧＰＳで検出された携帯端末の現在位置を共通センタに送信し、共通センタに該検出された携帯端末の現在位置で受けられるサービスのメニュー画面を検索し、携帯端末にダウンロードするとともにサービス実行に必要なコンテンツサーバと接続する機能を付与することにより、携帯端末のロケーションに依存しないサービスを提供できるようにすることを目的とする。
【０００７】
【課題を解決するための手段】
各請求項にそれぞれ記載された各発明は、上記した各目的を達成するためになされたものであり、以下に説明する。
【０００８】
本発明は、端末が個別センタ装置に接続して情報要求信号を送信し、複数の個別センタ装置が共通に接続する共通センタ装置へ前記情報要求信号を転送して、当該共通センタ装置から情報を取得する共通プラットフォームシステムであって、前記個別センタ装置または前記共通センタ装置は、前記端末からの情報要求信号を共通インタフェース用の信号にプロトコル変換する第１プロトコル変換手段を備え、前記個別センタ装置は、前記情報要求信号の転送に応じて前記共通センタ装置より受信した信号を、自装置固有のプロトコルに変換する第２プロトコル変換手段と、前記自装置固有のプロトコルに変換した信号を、前記情報要求信号を送信した端末に中継する中継手段と、を備え、前記共通センタ装置は、前記情報要求信号に対応するコンテンツを、当該コンテンツを蓄積するコンテンツサーバから受信して、当該コンテンツを、前記サービス要求信号を転送した前記個別センタ装置へ送信するコンテンツ送信手段と、を備えることを特徴とするインタネット共通プラットフォームシステムである。
【０００９】
また本発明は、上述のインタネット共通プラットフォームシステムにおいて、前記情報要求信号がサービスを要求するサービス要求信号であり、前記個別センタ装置の中継手段は、前記自装置固有のプロトコルに変換した信号を、前記共通センタによって選択されたアクセス網により、前記サービス要求信号を送信した端末に中継し、前記共通センタ装置は、前記端末が対応するアクセス網と、前記サービス要求信号で特定されるサービスに適したアクセス網と、を記憶するアクセス網選択情報記憶手段と、前記サービス要求信号で示されるサービスと、当該サービス要求信号を送信した端末との組合せに応じたアクセス網を前記アクセス網選択情報記憶手段から選択するアクセス網選択手段と、前記選択したアクセス網を前記個別センタ装置へ通知するアクセス網通知手段と、を備えることを特徴とする。
【００１０】
また本発明は、上述のインタネット共通プラットフォームシステムにおいて、前記端末は、予め入力を受け付けた座標情報と、座標情報検出手段により検出した座標情報とが一致した場合に、当該一致した座標情報を含む情報要求信号を前記個別センタ装置へ送信する情報要求信号送信手段を備え、前記共通センタ装置のコンテンツ送信手段は、前記情報要求信号に含まれる座標情報に対応するコンテンツを、当該コンテンツを蓄積するコンテンツサーバから受信して、当該コンテンツを、前記サービス要求信号を転送した前記個別センタ装置へ送信することを特徴とする。
【００１１】
【発明の実施の形態】
図１は従来の実施例。図２〜８は、本発明の実施の形態の一例を示すものである。図１において、携帯端末Ａは移動通信網Ａを介して個別センタＡに接続され、携帯端末Ｂは移動通信網Ｂを介して個別センタＢに接続される。この場合、携帯端末Ａと個別センタＡ、携帯端末Ｂと個別センタＢはそれぞれ異なるインタフェースを有するので、例えば個別センタＡから携帯端末Ｂには接続できない。また、携帯端末Ａ、携帯端末ＢにコンテンツサーバＮ、コンテンツサーバＭからの情報を提供するのに、個別センタＡとコンテンツサーバＮ、Ｍ、及び個別センタＢとコンテンツサーバＮ、Ｍのインタフェースがそれぞれ必要となり、プラットフォームシステムが複雑で、システムコストが高くなる欠点を有していた。図２は、インタネット共通プラットフォームシステムの概略構成図、図３は、携帯端末の構成図、図４は個別センタの構成図、図５は共通センタの構成図を示す。
【００１２】
本実施の形態によるインタネット共通プラットフォームシステムの構成は、例えば図２に示すように、携帯端末（１１０）、固定端末（１２０）、移動通信網（２００）、放送網（２１０）、固定通信網（２２０）、インタネット網（３００）、個別センタＡ（４００Ａ）、個別センタＢ（４００Ｂ）、共通センタ（５００）、コンテンツサーバ（６００）を含む。
【００１３】
携帯端末（１１０）は、例えば図３に示すように、制御部（１１１０）、ＧＰＳ受信機能を有する位置検出手段（１１２０）、無線通信手段（１１３０）、放送受信手段（１１４０）、固定通信網アクセス手段（１１５０）、ウェブブラウザ（１１６０）、操作部（１１７０）、表示部（１１８０）より構成される。また、制御部（１１１０）は記憶手段（１１１１）、編集手段（１１１２）を含んで構成される。なお、ＧＰＳ受信機用のアンテナは携帯端末（１１０）に内蔵（位置検出手段（１１２０）の一部として）しても車の屋根等に設置し、ケーブルで携帯端末（１１０）の位置検出手段（１１２０）と接続しても良い。また、放送受信手段（１１４０）、固定通信網アクセス手段（１１５０）を省略しても良い。固定端末（１２０）も同様な構成であるが、固定かつ有線で使用のため、位置検出手段、無線通信機能等一部機能を省略して構成しても良い。
【００１４】
個別センタ（４００）は、例えば図４に示すように、データベース（４０１）、認証手段（４０２）、プロトコル変換手段（４０３）、位置情報表示手段（４０４）により構成され、インタネット網（３００）、移動通信網（２００）を経由して携帯端末（１１０）と通信する通信装置（４０５）、インタネット網（３００）を経由して共通センタ（５００）と通信する通信装置（４０６）から構成される。データベース（４０１）は顧客契約情報データベース（４０１１）、個別商品情報データベース（４０１２）から構成される。顧客契約情報データベース（４０１１）には、顧客が契約しているアクセス網の種別、サービス種別が記憶されており、また、個別商品情報データベース（４０１２）は個別センタ（４００）で作成する新製品の紹介等のコンテンツのデータベースで、共通センタ（５００）を介さずに直接通信装置（４０５）から、個別センタと契約している携帯端末（１１０）に伝送される。
【００１５】
共通センタ（５００）は、例えば図５に示すように、データベース（５０１）、個別センタ認証手段（５０２）、位置情報変換手段（５０３）、プロトコル変換手段（５０４）、インタネット網（３００）を経由して個別センタ（４００）と通信する通信装置（５０５）、インタネット網（３００）を経由してコンテンツサーバ（６００）と通信する通信装置（５０６）から構成される。データベース（５０１）はメニュー画面データベース（５０１１）、コンテンツサーバ情報データベース（５０１２）、アクセス情報データベース（５０１３）から構成される。メニュー画面データベース（５０１１）には、例えばガソリンスタンドの位置と該位置での給油サービスの作業画面、駐車場の位置と該位置での駐車サービスの作業画面が記憶されている。各種の作業画面は位置情報をキーとして検索される。コンテンツサーバ情報データベース（５０１２）には、サービスと該サービスを携帯端末（１１０）に提供するために必要となるコンテンツサーバ（６００）のアドレスが記憶されている。例えば、給油サービスの場合は料金サーバのアドレスが、交通提供サービスの場合は交通情報提供サーバのアドレスがそれぞれ記憶されている。アクセス情報データベース（５０１３）にはコンテンツと該コンテンツを伝送するためのアクセス網種別と該アクセス網と契約している携帯端末（１１０）の端末ＩＤが記憶されている。
【００１６】
図６は交通情報要求フローＳ１００を示す。請求項１に記載の発明に対応する。ステップＳ１０１で携帯端末（１１０）はウェブブラウザ（１１６０）の機能を用いてメニュー画面をスクロールしてＳ１０２で交通情報要求メニューを選択し、Ｓ１０３で交通情報要求信号を携帯端末ＩＤと共に個別センタ（４００）に送信し、Ｓ１０４でタイマを設定して、Ｓ１０５で個別センタ（４００）からの応答信号を待ち受ける。
【００１７】
個別センタ（４００）は、Ｓ１０６で携帯端末（１１０）からの交通情報要求信号を受信し、Ｓ１０７で端末ＩＤの認証を行ない認証結果が良好ならば、Ｓ１０８で該交通情報要求信号をプロトコル変換手段（４０３）で共通インタフェース用の信号にプロトコル変換して個別センタＩＤを付加して共通センタ（５００）に中継する。なお、プロトコル変換は共通センタでプロトコル変換手段５０４を用いて信号受信時に行っても良い。
【００１８】
共通センタ（５００）は、個別センタ（４００）から交通情報要求信号をＳ１０９で受信し、個別センタ認証手段（５０２）で個別センタの認証を行なう。認証結果が良好なら、Ｓ１１０でコンテンツサーバ情報データベース（５０１２）から交通情報サービスを行なうコンテンツサーバ（６００）を検索し該コンテンツサーバ（６００）に接続する。コンテンツサーバ（６００）はＳ１１１で信号を受信し、Ｓ１１２で交通情報を共通センタ（５００）に送信する。共通センタ（５００）は該交通情報をステップＳ１１３で受信し、個別センタ（４００）に中継する。個別センタ（４００）で受信された中継信号はＳ１１４でプロトコル変換手段（４０３）により個別センタ（４００）の固有のプロトコルに変換され、携帯端末（１１０）に中継される。携帯端末（１１０）はＳ１１５で中継された交通情報コンテンツを受信する。
【００１９】
図７はアクセス網選択フローＳ２００を示す。請求項２に記載の発明に対応する。アクセス網としてＩＭＴ−２０００等の移動通信網、放送網、固定通信網を用い、携帯端末（１１０）には１以上のアクセス網へのアクセス機能を付与しておく。ステップＳ２０１で携帯端末（１１０）からサービス要求信号（駐車サービス、給油サービス、買い物サービス、入場サービス、交通情報サービス等のサービス種別を含む）と端末ＩＤを送信する。個別センタ（４００）は該送信信号をステップＳ２０２で受信し、端末ＩＤを認証し、認証結果が良好なら個別センタＩＤを付加して携帯端末（１１０）からのサービス要求信号と端末ＩＤを共通インタフェース用にプロトコル変換して共通センタ（５００）に中継する。なお、プロトコル変換は共通センタでプロトコル変換手段５０４を用いて信号受信時に行っても良い。
【００２０】
共通センタ（５００）はＳ２０３で個別センタ（４００）から送信された個別センタＩＤ、端末ＩＤ、携帯端末（１１０）からのサービス要求信号を受信し、Ｓ２０４でサービス要求に適合したコンテンツサーバ（６００）のアドレスをコンテンツサーバ情報データベース（５０１２）から検索すると共に、Ｓ２０５でアクセス情報データベース５０１３（移動通信網、放送網、固定通信網等のアクセス網種別情報、端末ＩＤ毎のアクセス可能性、コンテンツサーバ又はサービス種別毎の伝送の適否等の情報を有する）から、端末ＩＤのアクセス可能なアクセス網のなかから、コンテンツの伝送に適したアクセス網を選択する。例えば携帯端末（１１０）が駐車場サービスを要求した場合、駐車場位置情報、満空情報、予約情報、料金計算を提供可能なコンテンツサーバ（６００）を選択し、該コンテンツを伝送するのに適したアクセス網として移動通信網（２００）を選択する。他の例としては携帯端末（１１０）が交通情報サービス要求信号を送信した場合、コンテンツサーバ（６００）として交通情報センタのサーバを選択し、携帯端末（１１０）が放送網（２１０）へのアクセス機能を有している場合は、アクセス網として放送網（２１０）を選択する。このように、共通センタでサービス種別、携帯端末（１１０）の属性（端末ＩＤ等）に適合したアクセス網を選択する。
【００２１】
この後、共通サーバ（５００）はＳ２０６で選択したアクセス網に関する情報（アクセス情報）に端末ＩＤ、個別センタＩＤを付加して個別センタ（４００）に送信する。個別センタ（４００）はＳ２０７で該アクセス情報を受信し、個別センタＩＤを認証し、結果が良好なら、Ｓ２０７で個別センタ（４００）に固有のプロトコルに変換して該端末ＩＤを有する携帯端末（１１０）に中継する。
【００２２】
携帯端末（１１０）はＳ２０８でアクセス情報を受信し、Ｓ２０９で共通センタが選択した当該アクセス網に切り替えた後、Ｓ２１０でアクセス網切り替え完了信号を個別センタ（４００）に送信する。個別センタ（４００）はＳ２１１で該信号を受信し、共通インタフェース用のプルトコルに変換して共通センタ（５００）に送信する。なお、プロトコル変換は共通センタでプロトコル変換手段５０４を用いて信号受信時に行っても良い。
【００２３】
共通センタ（５００）はＳ２１２で該切り替え完了信号を受信後、Ｓ２１３によりＳ２０４で検出したサービス要求に適合したコンテンツサーバ（６００）に接続信号を送信する。コンテンツサーバ（６００）はＳ２１４で該接続信号を受信し、Ｓ２１５で情報コンテンツを共通センタ（５００）に送信する。
【００２４】
共通センタ（５００）はＳ２１６でコンテンツにアクセス情報、端末ＩＤを付加し、個別センタ（４００）に中継する。個別センタ（４００）はＳ２１７で該端末ＩＤを保有する携帯端末（１１０）に切り替えられたアクセス網経由によりコンテンツを個別センタ（４００）に固有のプロトコルに変換して中継する。携帯端末（１１０）はＳ２１８で該コンテンツを受信する。
【００２５】
図８はメニュー画面のダウンロードフローＳ３００を示す。請求項３に記載の発明に対応する。携帯端末にＧＰＳ受信機能を付与しておく。携帯端末（１１０）はステップＳ３０１で画面情報ダウンロード要求信号として端末ＩＤ、携帯端末（１１０）の現在位置のＧＰＳ情報（ＧＰＳで検出した携帯端末（１１０）の現在位置データ）を個別センタ（４００）に送信し、Ｓ３０２でタイマを設定し、Ｓ３０３で画面情報を待ち受ける。なお、携帯端末（１１０）から、到着先のＧＰＳデータを事前に入力しておき、該入力した位置に携帯端末が到着したことを、事前に入力したＧＰＳデータと携帯端末（１１０）の現在位置のＧＰＳデータを比較し、一致したことで検出し自動発信しても良い。
【００２６】
個別センタ（１４０）はＳ３０４で画面情報ダウンロード要求信号を受信し、Ｓ３０５で端末の認証を行ない、認証結果が良好なら、Ｓ３０６で画面情報ダウンロード要求信号を共通のインタフェース用の信号にプロトコル変換して個別センタＩＤを付加し、携帯端末（１１０）の現在位置のＧＰＳ情報と共に共通センタ（４００）に送信する。なお、プロトコル変換は共通センタでプロトコル変換手段５０４を用いて信号受信時に行っても良い。
【００２７】
共通センタ（５００）ではＧＰＳで検出された携帯端末（１１０）の現在位置で携帯端末（１１０）が受けられるサービスメニューとサービスを受けるに必要なコンテンツサーバアドレスの対応テーブルをメニュー画面データベース（５０１１）に作成しておく。共通センタ（５００）はＳ３０７で該画面情報ダウンロード要求信号を受信し、個別センタＩＤの認証を行なう。認証結果が良好なら、Ｓ３０８でメニュー画面データベース（５０１１）からＧＰＳ情報と端末ＩＤをキーとして携帯端末（１１０）が契約しているメニュー画面を検索する。すなわち、ＧＰＳ情報による携帯端末（１１０）の現在位置、例えば駐車場、ガソリンスタンド、コンビニエンスストア、劇場、駅等から当該位置で受けられるサービス、例えば駐車サービス、給油サービス、買い物サービス、入場サービス等のメニュー画面を検索し該携帯端末にダウンロードするとともにサービス実行に必要なコンテンツサーバと接続する。Ｓ３０９で検索されたメニュー画面情報を個別センタ（４００）に送信する。
【００２８】
個別センタ（４００）はＳ３１０でメニュー画面情報を受信し、個別センタ（４００）の固有のインタフェース用の信号にプロトコル変換して携帯端末（１１０）に送信する。携帯端末（１１０）はＳ３１１でメニュー画面情報を受信し、Ｓ３１２で表示部（１１８０）に表示する。
【００２９】
【発明の効果】
本発明は、以上のように構成されているので、以下に記載されるような効果を奏する。
【００３０】
請求項１に記載の各発明によれば、インタネット網上に共通センタを設置し、個別センタと共通センタ間のインタフェース及び／又はコンテンツサーバと共通センタ間のインタフェースとして、該共通センタで定める共通インタフェースを用いることにより、ユーザが特定の個別センタ、特定のコンテンツザーバに限定されずにサービスを受けられる汎用的なシステムを提供できる。また、現在サービスを提供中の個別サーバを承継して使用でき、経済的で拡張性の高いシステムを実現できる。
【００３１】
請求項２に記載の発明によれば、共通センタにサービス種別に適したコンテンツサーバ及び端末の属性に適合したアクセス網を選択する機能を付与することにより、端末とサービスの属性に適合したアクセス網を自動的に設定できる。すなわち、移動通信網、放送網、固定通信網等のアクセス網のなかでユーザが求めるサービスに適するアクセス網を使用でき経済的で効率的なシステムが実現できる。
【００３２】
請求項３に記載の発明によれば、携帯端末にＧＰＳ受信機能を付与し、ＧＰＳで検出された携帯端末の現在位置を共通センタに送信し、共通センタに該検出された携帯端末の現在位置で受けられるサービスのメニュー画面を検索し、携帯端末にダウンロードするとともにサービス実行に必要なコンテンツサーバと接続する機能を付与することにより、携帯端末のロケーションに依存しないサービスを提供できる。すなわち、端末のロケーシヨンがどこでも該ロケーションでユーザが受けられるサービスメユーを確実に得られ、サービス性の優れたシステムが実現できる。
【図面の簡単な説明】
【図１】従来システムの概略構成図である。
【図２】本発明のインタネット共通プラットフォームの概略図である。
【図３】携帯端末の概略説明図である。
【図４】個別センタの概略説明図である。
【図５】共通センタの概略説明図である。
【図６】交通情報要求フローチャートである。
【図７】アクセス網選択フローチャートである。
【図８】メニュー画面のダウンロードフローチャートである。
【符号の説明】
１１０    携帯端末
１１１０  制御部
１１１１  記憶手段
１１１２  編集手段
１１２０  位置検出手段
１１３０  無線通信手段
１１４０  放送受信手段
１１５０  固定網アクセス手段
１１６０  ウェブブラウザ
１１７０  操作部
１１８０  表示部
２００    移動通信網
２１０    放送網
２２０    固定通信網
３００    インタネット網
４００    個別センタ
４０１    データベース
４０１１  顧客契約情報データベース
４０１２  個別商品情報データベース
４０２    認証手段
４０３    プロトコル変換手段
４０４    位置情報表示手段
４０５，４０６  通信装置
５００    共通センタ
５０１    データベース
５０１１  メニュ画面データベース
５０１２  コンテンツサーバ情報データベース
５０１３  アクセス情報データベース
５０２    個別センタ認証手段
５０３    位置情報変換手段
５０４    プロトコル変換手段
５０５，５０６  通信装置
６００  コンテンツサーバ
【図１】
0004073610.tif 000002
【図２】
0004073610.tif 000003
【図３】
0004073610.tif 000004
【図４】
0004073610.tif 000005
【図５】
0004073610.tif 000006
【図６】
0004073610.tif 000007
【図７】
0004073610.tif 000008
【図８】
0004073610.tif 000009